(57)【特許請求の範囲】
【請求項１】
地面に鉛直方向に立設されている二以上の柱材と、
前記柱材同士の下端部を連結する下端連結部材と、
前記柱材同士の上端部を連結する上端連結部材と、が備えられており、
前記上端連結部材が、前記柱材の上端部を覆う、平板の板材であるとともに、
前記柱材の水平断面が略長方形であり、
該略長方形の長軸が、前記柱材を連続的に並べて構成される略平面と平行である、
ことを特徴とする柱材構造体。
【請求項２】
請求項１の柱材構造体が、少なくとも一つの側面に備えられている、
ことを特徴とする門柱。
【発明の詳細な説明】
【技術分野】
【０００１】
本発明は、柱材構造体、および門柱に関する。さらに詳しくは、柱材構造体と、この柱材構造体を備えている門柱に関する。
【背景技術】
【０００２】
一般に、住宅やマンション等の敷地境界部や隣地境界部には、部外者の侵入防止や住民のプライバシー保護のためにフェンスが設けられている。このフェンスの中には、複数の柱材が並べられるようにして配置されている柱材構造体により構成されるものがある。このような、複数の柱材を連続的に並べることにより構成されたフェンスは、単純な構成でありながら、見映えがよいため、住宅やマンションなどの他、公共施設でも用いられてきている。またこのようなフェンスは、平面だけでなく曲面のデザインも形作ることができる。
【０００３】
連続的に並べられた複数の柱材により構成されるフェンスは、例えば特許文献１または２に開示された支柱構造体（柱材構造体）を用いて形成される。特許文献１または２の技術は、複数の柱材により構成されている柱材構造体であって、この複数の柱材を、地中内に配置されるベースに、取付け部材により固定されるものである。この取付け部材をベースの任意の位置に移動させることで、柱材の間隔を任意に変更することができる。
【０００４】
しかるに、これらの柱材構造体は、美観を損ねないために地中内部だけで連結され、かつその姿勢を保つ必要があり、柱材単体での剛性を高くしようとすると、柱材の寸法を水平面内のすべての方向に大きくする必要があり、この点で柱材の形状のバリエーションを増やすことができないという問題がある。
また、フェンスの平面を構成する複数の柱材の断面形状を、その平面方向に長くしたような場合は、平面の垂直方向からの力に対する剛性が低くなる。そのため、外からの力により柱材の一部または全部が破損・変形する虞がある。
【先行技術文献】
【特許文献】
【０００５】
【特許文献１】特開２０１３−２１３３０９号公報
【特許文献２】特開２００９−１７４１２５号公報
【発明の概要】
【発明が解決しようとする課題】
【０００６】
本発明は上記事情に鑑み、簡易な構造で剛性を高めることができる柱材構造体、およびこの柱材構造体を備えている門柱を提供することを目的とする。
【課題を解決するための手段】
【０００７】
第１発明の柱材構造体は、地面に鉛直方向に立設されている二以上の柱材と、前記柱材同士の下端部を連結する下端連結部材と、前記柱材同士の上端部を連結する上端連結部材と、が備えられており、前記上端連結部材が、前記柱材の上端部を覆う、平板の板材であるとともに、前記柱材の水平断面が略長方形であり、該略長方形の長軸が、前記柱材を連続的に並べて構成される略平面と平行であることを特徴とする。
第２発明の門柱は、第１発明の柱材構造体が、少なくとも一つの側面に備えられている
ことを特徴とする。
【発明の効果】
【０００８】
第１発明によれば、柱材の下端部が、下端連結部材により連結されていると共に、柱材の上端部が、上端連結部材により連結されていることより、柱材構造体の剛性を高めることができる。
また、上端連結部材が柱材の上端部で連結され、かつ、板材であることから、上端連結部材が視認され難い。そのため、柱材構造体の美観を向上させることができる。さらに、柱材構造体を周囲の景観に溶け込ますこともできる。
加えて、柱材構造体が、下端連結部材と上端連結部材により連結された構造であることから、柱材構造体と他の構造物（例えば、門柱など）とを隙間なく連結することができる。
第２発明によれば、門柱の少なくとも一つの側面に柱材構造体が備えられていることにより、門柱の剛性を高めることができる。
また、柱材構造体が、下端連結部材と上端連結部材により連結された構造であることから、柱材構造体と門柱とを隙間なく連結することができる。さらに、上端連結部材が柱材構造体の上端部で連結され、かつ、板材であることから、上端連結部材が視認され難い。そのため、門柱の美観を向上させることができる。
【図面の簡単な説明】
【０００９】
【図１】本発明の実施形態に係る柱材構造体の前側斜め上方からの斜視図である。
【図２】図１の柱材構造体の後側斜め上方からの斜視部分拡大図である。
【図３】本発明の第一実施形態に係る門柱の前側斜め上方からの斜視図である。
【図４】図３の門柱の後側斜め上方からの斜視図である。
【図５】図３の門柱の三面図である。
【図６】本発明の第二実施形態に係る門柱の前側斜め上方からの斜視図である。
【発明を実施するための形態】
【００１０】
つぎに、本発明の実施形態を図面に基づき説明する。
【００１１】
（柱材構造体）
図１（Ａ）は本発明の実施形態に係る柱材構造体１の前側斜め上方からの斜視図、図１（Ｂ）は図１（Ａ）の部分拡大図、図２は、図１の柱材構造体１の後側斜め上方からの斜視部分拡大図である。なお、柱材構造体１について説明する場合は、図１（Ａ）において、柱材２が連続的に並べられることで構成されている面に向かって上下左右を、それぞれ上下左右と表現するとともに、手前を前、奥側を後と表現する。
【００１２】
図１に示すように、本実施形態に係る柱材構造体１は、５本の柱材２を含んで構成されている。なお、これらの柱材２から構成される柱材構造体１が、フェンスとして使用される場合は、柱材２の数は、５本に限定されるものではなく、フェンスの長さに応じて決定される。これらの柱材２は、柱材構造体１として組み立てられた後、図１の点線で表された部分が地面に３００ｍｍ程度埋設され、地面に鉛直方向に立設される。５本の柱材２は、隣接する柱材２同士の間に、同じ大きさの隙間を設けるように並べられている。この隙間の大きさは、３７ｍｍ程度である。隙間を設けることにより、柱材構造体１の前後で適切に空間を分離することができると共に、隙間が同じ大きさであることにより連続性のある構造とすることができる。また風を通すことができるため、柱材構造体１にかかる風による外力を減らすことができる。加えて、隙間を設けることで柱材構造体１を構成する部材を減らすことも可能である。
【００１３】
５本の柱材２は、前後の長さが３０ｍｍ、左右の長さが１４０ｍｍ、上下の長さが１９００ｍｍのアルミニウムの押出形材であり、図１（Ａ）の上下方向に押し出されながら成形される。柱材２の水平断面は、略長方形である。略長方形とは、この水平断面の形状を構成する一つの辺が、この形状の外側に向けてなだらかに膨らんだ曲線であることを意味している。この曲線は、図１（Ａ）の柱材構造体１の前側に位置する。水平断面が、前側になだらかに膨らんだ曲線であることで、柱材構造体１を見る人に軟らかい印象を与えることができる。
【００１４】
柱材構造体１は、５本の柱材２が連続的に並べられることで、略平面を構成している。そして、５本の柱材２については、その水平断面の長方形の長軸が、柱材構造体１の略平面に沿うように並べられている。すなわち水平断面の略長方形を形成している曲線に対向する位置にある直線が、柱材構造体１の略平面と、平行になるように並べられている。
【００１５】
５本の柱材２は、柱材２の下端部が下端連結部材３により連結されている。下端連結部材３は、一辺の長さが２０ｍｍ、厚みが３ｍｍのアルミニウム製のＬ字状形材であり、この下端連結部材３の一方の辺を５本の柱材２の後面に接触させると共に、下端連結部材３の他方の辺を５本の柱材２の下端面に接触させる。そしてこの状態で下端連結部材３を５本の柱材２にネジ止めする。
【００１６】
下端連結部材３の一方の辺に、５本の柱材２の後面を接触させることで、５本の柱材２を精度よく並べることができる。また、５本の柱材２の下端面を、下端連結部材３の他方の辺に接触させることで、上下の長さが同じ柱材２を用いた場合、柱材２の上端の高さを容易にそろえることができる。また柱材２の上下の長さを連続的に変化させて、柱材２の上端で曲線を描くようにする場合は、組立時にこの連続性を精度よく再現することができる。
【００１７】
５本の柱材２は、柱材２の上端部（上端面）が、上端連結部材４により連結されている。本実施形態では、上端連結部材４は、平板にネジ貫通孔を設けた構造であり、ネジにより各柱材２と連結されている。上端連結部材４はステンレス製であり、厚みは２ｍｍである。この上端連結部材４が設けられていることにより、柱材２の上端部が覆われることとなり、柱材２の内部に雨水が入り込むことがない。そのため、柱材２の腐食を防ぐことができる。また、柱材２の上端部に別途防水のためのキャップなどを設ける必要がないため、部品の点数を減らすことができる。
【００１８】
柱材２の下端部が、下端連結部材３により連結されていると共に、柱材２の上端部が、上端連結部材４により連結されていることより、柱材構造体１の剛性を高めることができる。すなわち、本実施形態のように、柱材２の下端部だけでなく、上端部同士も連結することで、１つの柱材２に力が加えられたとしても、他の柱材２にもその力を分散できることで、柱材構造体１の水平面内の剛性を高くすることができる。
【００１９】
また、隣接する柱材２の後面同士を別部材により連結したのでは、柱材２を並べることで生じるデザインの統一性を損なうが、本発明では、板材の上端連結部材４により柱材２の上端部で連結されていることで、上端連結部材４が視認され難く、連続して並べられる柱材２により形成されるデザインの統一性を損なうことがない。
【００２０】
さらに、本実施形態では、柱材構造体１が、下端連結部材３と上端連結部材４により連結された構造であることから、柱材構造体１を他の構造物（例えば、門柱など）に連結する場合、柱材構造体１と他の構造物とを隙間なく連結することができる。
【００２１】
加えて、本実施形態では上端連結部材４は、平板であったが、特にこれに限定されない。例えば、柱材２の上下の長さに変化を持たせ、柱材２の上端部が連続的に波打つように変化する構造である場合は、その上端面に合わせた曲線板で構成する。
【００２２】
（門柱）
図３から図５には、本発明の第一実施形態に係る門柱１０の図面を示す。図３は、第一実施形態に係る門柱１０の前側斜め上方からの斜視図、図４は後側斜め上方からの斜視図、図５は三面図であり、図５（Ａ）は正面図、図５（Ｂ）は側面図、図５（Ｃ）は平面図である。なお門柱１０について説明する場合は、表札１２等が見える部分を前、その反対側を後とし、門柱の前に向かって上下左右をそれぞれ上下左右と表現する。
【００２３】
図３は、２世帯住宅に用いられる宅配ボックス付きの門柱１０である。門柱１０は門柱本体１１を含んで構成されている。この門柱本体１１は、表札１２、インターフォン１５、ポスト１３、宅配ボックス１４を含んで構成されている。表札１２、インターフォン１５、ポスト１３は、２世帯住宅のそれぞれの家庭に対するものである。ポスト１３に投入された郵便物については、後方にあるつまみ１３ｂによりポスト１３の後方の扉を開いて、回収することができる。
【００２４】
また、ポスト１３の投入口に入らないような荷物については、宅配ボックス１４の扉を開き、宅配ボックス１４内に収容される。そして、宅配ボックス１４の後方の扉を開いて、収容された荷物を回収することができる。
【００２５】
門柱１０は、地上面Ｇから立設されており、地中部分は、コンクリート基礎１６で固定されている。柱材２は門柱１０の支柱として使用されている。これにより門柱１０を構成する部品の点数を減らすことができると共に、門柱１０を構成する部品の種類を減らすことができる。また、門柱１０の厚み（門柱１０の左右方向の長さ）を抑えつつ、門柱１０の剛性を高めることができる。このように門柱１０の厚みを抑えることで、門柱１０を前から見たときの見映えが良くなる。
【００２６】
門柱１０の組立方法について説明する。まず第１工程として、門柱本体１１の左右に位置させる２本の柱材２を支柱とし、これらの柱材２に対して、門柱本体１１（ポスト１３、宅配ボックス１４等）を組み付ける。第２工程として、前記の柱材２とは別の２本の柱材２に対し、下端連結部材３と上端連結部材４とを組み付ける。第３工程として、第２工程で組み立てられた部材を、門柱本体１１に組み付けている柱材２に組み付ける。
【００２７】
第一実施形態に係る門柱１０は、右側面に、柱材構造体１を備えている。門柱１０が柱材構造体１を備えていることにより、柱材構造体１をフェンスに用いた場合と同様の効果を得ることができる。すなわち、門柱１０の後方に張り出したポスト１３や宅配ボックス１４を、目立ちにくくすることで周囲の景観に溶け込ますことができる。また、側面に設けたのが柱材構造体１であることにより、門柱１０の剛性を高めることができる。さらに、柱材構造体１が下端連結部材３と上端連結部材４により連結された構造であることから、柱材構造体１と門柱本体１１とを隙間なく連結することができ、美観を向上させることができる。
【００２８】
図６には、本発明の第二実施形態に係る門柱２０の前側斜め上方からの斜視図を示す。第一実施形態に係る門柱１０との相違点は、柱材構造体１を門柱本体１１の左右の両側面に設けていることである。このように左右の両側面に柱材構造体１を設けることで、門柱２０を左右いずれから見た場合でも、門柱２０の後方に張り出したポスト１３や宅配ボックス１４が目立たず、門柱２０を周囲の景観に溶け込ますことができる。また、左右に剛性の高い柱材構造体１を設けているので、門柱２０の剛性をさらに高めることができる。加えて、柱材構造体１が、下端連結部材３と上端連結部材４により連結された構造であることから、柱材構造体１と門柱本体１１とを隙間なく連結することができ、美観を向上させることができる。
【符号の説明】
【００２９】
１  柱材構造体
２  柱材
３  下端連結部材
４  上端連結部材
１０  門柱
１１  門柱本体
１２  表札
１３  ポスト
１３ｂ  つまみ
１４  宅配ボックス
１５  インターフォン
１６  コンクリート基礎
２０  門柱
【図１】
0006486287.tif 000002
【図２】
0006486287.tif 000003
【図３】
0006486287.tif 000004
【図４】
0006486287.tif 000005
【図５】
0006486287.tif 000006
【図６】
0006486287.tif 000007